(57)【要約】【目的】ファイル綴じ部から台紙を開放、伸展して掲示利用できるファイル式折り畳み写真用台紙を提供する。【構成】横長の台紙Ｃの左右両端に綴じ代６を設けるとともに屏風状に折り畳み、折れ線１によって区切り得られる各ページ区分面２の表側に透明フィルム３を取付けて写真ポケット４を形成し、台紙裏側に各谷折れ線１ｂに沿って綴じ代片７を取付ける。【選択図】    図１
2004181926.tif 000002
【特許請求の範囲】
【請求項１】
横長の台紙の左右両端に綴じ代を設けるとともに屏風状に折り畳み、折れ線によって区切り得られる各ページ区分面において、表側に少なくとも一枚透明フィルムを取付けて少なくとも一つの写真ポケットを形成し、台紙裏側に各谷折れ線に沿って綴じ代片を取付けてなるファイル式折り畳み写真用台紙。
【請求項２】
各ページ区分面において、表側に大きさが異なる透明フィルムを二枚重ねて取付け、少なくとも一つの縦長形写真ポケットと少なくとも一つの横長形写真ポケットを二重に形成した請求項１記載のファイル式折り畳み写真用台紙。
【請求項３】
各ページ区分面において、表側に同形の透明フィルムを複数枚並べて取付け、上辺側に写真出入口を有する少なくとも一つの写真ポケットを透明フィルム毎に形成した請求項１記載のファイル式折り畳み写真用台紙。
【請求項４】
綴じ代と綴じ代片に綴じ穴を設けた請求項１、２又は３記載のファイル式折り畳み写真用台紙。
【発明の詳細な説明】
【０００１】
【産業上の利用分野】
本発明は、ファイル綴じ部から台紙を開放、伸展して掲示利用できるファイル式折り畳み写真用台紙に関するものである。
【０００２】
【従来の技術】
従来より、写真を収容するためのアルバムとしては、台紙面に感圧性接着剤を塗布し透明フィルムで覆った写真貼着タイプものや、透明フィルム自身或いは台紙面に透明フィルムを設けポケット状に形成したポケットタイプものが知られている。これらの台紙又はポケット形成部分は側に装着されて初めてアルバムとして働きをするものであって、側から台紙部分を取り外して単独使用できるように構成されたものではなかった。したがって、従来型のアルバムにおいては整理、収容、保管するなどの使い方に留まっていた。
【０００３】
【発明が解決しようとする課題】
学校や職場での行事やサークルでの活動場面をカメラに収め、サービスショップで現像・プリントして出来上がった写真を見る場合、その対象者が少人数或いは特定の人たちに限られるときは、アルバムに写真を収容してそれを廻覧すれば済ませることができるが、対象者が多人数或いは不特定の人たちにも及ぶときには、掲示に依る方法は欠かせない手段である。
【０００４】
しかし、掲示に依る方法を取るに際しては、プリントして出来上がった写真を別途張り出し用の紙に個個に貼り付けてから掲示板や壁に張り出す。掲示後ある期間が経てば、これらの写真を撤収しなければならない。このような掲示、撤収作業は写真一枚一枚に対して行なわなければならず、大変手間のかかる作業であった。また、写真を汚損する恐れがあった。
【０００５】
【課題を解決するための手段】
上記課題を解決するために、本発明のファイル式折り畳み写真用台紙は、横長の台紙の左右両端に綴じ代を設けるとともに屏風状に折り畳み、折れ線によって区切り得られる各ページ区分面において、表側に少なくとも一枚透明フィルムを取付けて少なくとも一つの写真ポケットを形成し、台紙裏側に各谷折れ線に沿って綴じ代片を取付けてなるものである。
【０００６】
そして、縦使いと横使いの写真出入口が容易に識別でき、撮影したときの縦使い或いは横使いと同じ向きで写真が見られるように、各ページ区分面において、表側に大きさが異なる透明フィルムを二枚重ねて取付け、少なくとも一つの縦長形写真ポケットと少なくとも一つの横長形写真ポケットを二重に形成してもよい。
【０００７】
また、掲示スペース幅が狭い個所では上下方向に伸展使用できるように、各ページ区分面において、表側に同形の透明フィルムを複数枚並べて取付け、上辺側に写真出入口を有する少なくとも一つの写真ポケットを透明フィルム毎に形成してもよい
【０００８】
さらに、二穴綴じ式ファイルに対応するために、綴じ代と綴じ代片に綴じ穴を設けてもよい。
【０００９】
【実施例】
本発明の第１実施例を図１〜図６を参照して説明する。第１実施例は図１に示すように、横長の台紙Ｃは、例えばシート状の不織布を用い、左右両端に綴じ代６を設けるとともに屏風状に折り畳み、折れ線１によって区切り得られる六つの各ページ区分面２において、表側に透明フィルム３を取付けて、上下方向三段の横長の写真ポケット４を形成し、台紙裏側には各谷折れ線１ｂに沿って綴じ代片７が取付けられている。さらに詳しく、写真ポケット４においては図２に示すように、各ページ区分面２の表側に山折れ線１ａに対向する側を除く辺縁に、幅が２〜３ｍｍの略コの字状に外縁接合部８を設け、且つ上下方向を三等分する位置に同一幅の仕切接合部９を設け、接着剤を塗布する。そして、長さはページ区分面２の上下方向の長さと同等で、幅は２〜３ｍｍ短い透明フィルム３の長手方向の一側端が山折れ線１ａに一致する位置で固着されている。一方、山折れ線１ａに対向する側の透明フィルム３の側縁は非接着であって写真出入口５に設定されている。そして、綴じ代片７においては図３〜図６に示すように、台紙Ｃ裏側の谷折れ線１ｂ沿いに幅が５〜１０ｍｍの綴じ代片接合部１０を設け、接着剤を塗布し、台紙Ｃと同一部材の綴じ代片７は台紙Ｃが折り畳まれた状態のとき、綴じ代片７の一側端と台紙Ｃの左右両端の綴じ代６の側端とが一致する位置で綴じ代片７の一側縁が固着されていて、綴じ代６と綴じ代片７に中心間隔８０ｍｍの綴じ穴２１が二つずつ穿孔されている。
【００１０】
第１実施例は以上のような構造でこれを使うときは、写真を写真出入口５から差入れ写真ポケット４に収容する。収容セットされた台紙Ｃを掲示するときはファイル綴じ部から開放後、左右方向に伸展し両端の綴じ代６部分にピンやマグネットを使用して掲示板や壁に留める。伸展中における台紙裏側に取付けられている綴じ代片７は台紙裏面と平坦に合わさった状態で保たれる。また、伸展状態にある台紙Ｃをファイルに綴じ込むときは、屏風状に折り戻せば綴じ代６と綴じ代片７は一方の側に揃い重なり合う。この一方の側に揃い重なり合った綴じ代６と綴じ代７をファイル挟着部や二穴綴じ部へ綴じ込む。
【００１１】
本発明の第２実施例を図７〜図１０を参照して説明する。第２実施例は図７に示すように、台紙Ｃ１の写真ポケットＰは、各ページ区分面２の表側に透明フィルムＦを二枚重ねて取付け、上下方向二段の縦長形写真ポケット１４ａと上下方向三段の横長形写真ポケット１４ｂが二重に形成されている。さらに詳しくは、縦長形写真ポケット１４ａにおいては図８に示すように、各ページ区分面２の表側に山折れ線１ａに対向する側を除く辺縁に、山折れ線１ａに沿っては幅が２０〜２２ｍｍ、上下縁は８〜１０ｍｍの略コの字状に外縁接合部１６を設け、且つ上下方向を二等分する位置に上下縁と同一幅の仕切接合部１７を設け、無色透明の接着剤を塗布する。そして、長さはページ区分面２の上下方向の長さと同等で、幅は１０〜１２ｍｍ短い第１透明フィルム１３ａの長手方向の一側端が山折れ線１ａに一致する位置で固着されている。一方、山折れ線１ａに対向する側の第１透明フィルム１３ａの側縁は非接着であって縦使い写真出入口１５ａに設定されている。また、横長形写真ポケット１４ｂにおいては図９に示すように、第１透明フィルム１３ａの上面に山折れ線１ａに対向する側を除く辺縁に、幅が２〜３ｍｍの略コの字状に外縁接合部１８を設け、且つ上下方向を三等分する位置に同一幅で中間部に９０ｍｍを上まわる非接合帯域２０を有する分離した仕切接合部１９を設け、無色透明の接着剤を塗布する。そして、長さはページ区分面２の上下方向の長さと同等で、幅は２〜３ｍｍ短い第２透明フィルム１３ｂの長手方向の一側端が山折れ線１ａに一致する位置で固着されている。一方、山折れ線１ａに対向する側の第２透明フィルム１３ｂの側縁は非接着であって横使い写真出入口１５ｂに設定されている。
【００１２】
第２実施例の写真ポケットＰは以上のような構成で、図１０に示すように縦使い写真Ａは下層面側の縦使い写真出入口１５ａから差入れ縦長形写真ポケット１４ａに収容し、横使い写真Ｂは上層面側の横使い写真出入口１５ｂから差入れ横長形写真ポケット１４ｂに収容する。なお、写真ポケットＰ以外の構成は第１実施例と同じであるため重複する部分の説明は省略している。
【００１３】
上述した第１、第２実施例の台紙Ｃ、Ｃ１の上下方向の長さは２９７ｍｍ、ページ区分面２幅は１３５ｍｍ、綴じ代６幅は３５ｍｍ、綴じ代片７の上下方向の長さは２９７ｍｍ、幅は５０ｍｍとし、写真ポケット（４、Ｐ）はＬ判サイズ（８９×１２７ｍｍ）対応としたものである。ページ区分面２数は何れも６面で構成しているが４面また８面にしてもよい。
【００１４】
本発明の第３実施例を図１１を参照して説明する。第３実施例は図１１に示すように、台紙Ｄの写真ポケット２４は、各ページ区分面２２の表側に、上縁部を除く、幅が３〜５ｍｍの略コの字状に上段と下段が等しい大きさの外縁接合部２６を設け、接着剤を塗布する。そして、長さはページ区分面２２の上下方向の長さの略二分の一で、幅は同等の透明フィルム２３を上下方向に二枚並べ縦長の写真ポケット２４が固着形成されている。各透明フィルム２３の上縁部は非接着であって写真出入口２５に設定されている。
【００１５】
第３実施例の写真ポケット２４は以上のような構成で、本実施例の台紙Ｄの写真ポケット２４へ横使い撮影された写真を収容し上下方向へ伸展使用する。一方、縦使い撮影された写真を収容する場合は左右方向へ伸展する使い方になる。なお、写真ポケット２４及びページ区分面２２幅を１０５ｍｍとした以外の構成は第１実施例と同じであるため重複する部分の説明は省略している。
【００１６】
台紙部材には第１〜第３実施例の不織布のほかに、紙や布を用いてもよい。本発明は台紙それ自体が掲示利用できることを特徴としていて、特に和紙を用いて和紙特有の素材自身がもつ色彩や模様を取り入れた台紙として構成すれば、これらの台紙に調和する掲示空間への利用拡大も期待できる。
【００１７】
【発明の効果】
本発明は、上述のとおり構成されているので、次に記載する効果を奏する。
【００１８】
請求項１のファイル式折り畳み写真用台紙においては、横長の台紙の左右両端に綴じ代を設けるとともに屏風状に折り畳み、折れ線によって区切り得られる各ページ区分面において、表側に少なくとも一枚透明フィルムを取付けて少なくとも一つの写真ポケットを形成し、台紙裏側に各谷折れ線に沿って綴じ代片を取付けたことにより、一旦写真を写真ポケットに整理、収容セットし、台紙をファイル綴じ部から開放すれば、掲示する際の写真一枚毎の取り出しや貼り付け作業をすることなく写真を一括して台紙単位で扱えるので、汚損することなく簡単な作業でもって掲示が行える。また、撤収時は掲示面から取り外し、折り畳んでファイルに綴じ込めば撤収作業を済ませることができる。ファイルに綴じ込められた台紙は見開くこともできコンパクトに保管ができる。
【００１９】
請求項２のファイル式折り畳み写真用台紙を用いると、各ページ区分面において、表側に大きさが異なる透明フィルムを二枚重ねて取付け、少なくとも一つの縦長形写真ポケットと少なくとも一つの横長形写真ポケットが二重に形成してあるので、縦使いと横使いの写真出入口が容易に識別でき、撮影したときの縦使い或いは横使いと同じ向きで写真ポケットに収容でき、写真が見易くなる。
【００２０】
請求項３のファイル式折り畳み写真用台紙を用いると、各ページ区分面において、表側に同形の透明フィルムを複数枚並べて取付け、上辺側に写真出入口を有する少なくとも一つの写真ポケットが透明フィルム毎に形成してあるので、台紙を上下方向へ伸展でき、掲示スペース幅が狭い個所でも使用することができる。
【００２１】
請求項４のファイル式折り畳み写真用台紙においては、綴じ代と綴じ代片に綴じ穴を設けてあるので、二穴綴じ式ファイルに綴じ込んで使用することができる。
【図面の簡単な説明】
【図１】本発明の第１実施例の台紙伸展途中の写真収容状態を示す一部を切り欠いた斜視図である。
【図２】同実施例の台紙表側を示す要部説明図である。
【図３】同実施例の台紙裏側の綴じ代片の取付け状態を示す要部説明図である。
【図４】同実施例の図３のＸ−Ｘ線視図である。
【図５】同実施例の台紙伸展途中の裏側を示す斜視図である。
【図６】同実施例の台紙折り畳み途中を示す斜視図である。
【図７】本発明の第２実施例の台紙伸展途中の写真収容状態を示す一部を切り欠いた斜視図である。
【図８】同実施例の台紙表側の第１透明フィルムの接着部を示す要部説明図である。
【図９】同実施例の台紙表側の第２透明フィルムの接着部を示す要部説明図である。
【図１０】同実施例の写真収容状態を示す要部説明図である。
【図１１】本発明の第３実施例の台紙表側を示す要部説明図である。
【符号の説明】
Ａ  縦使い写真
Ｂ  横使い写真
Ｃ、Ｃ１、Ｄ  台紙
１  折れ線
１ａ  山折れ線
１ｂ  谷折れ線
２、２２  ページ区分面
３、Ｆ、２３  透明フィルム
４、Ｐ、２４  写真ポケット
５、２５  写真出入口
６  綴じ代
７  綴じ代片
８、１６、１８、２６  外縁接合部
９、１７、１９  仕切接合部
１０  綴じ代片接合部
１３ａ  第１透明フィルム
１３ｂ  第２透明フィルム
１４ａ  縦長形写真ポケット
１４ｂ  横長形写真ポケット
１５ａ  縦使い写真出入口
１５ｂ  横使い写真出入口
２０  非接合帯域
２１  綴じ穴
【図１】
2004181926.tif 000003
【図２】
2004181926.tif 000004
【図３】
2004181926.tif 000005
【図４】
2004181926.tif 000006
【図５】
2004181926.tif 000007
【図６】
2004181926.tif 000008
【図７】
2004181926.tif 000009
【図８】
2004181926.tif 000010
【図９】
2004181926.tif 000011
【図１０】
2004181926.tif 000012
【図１１】
2004181926.tif 000013